(57)【要約】  【課題】  １つの外装パネルで多種多用な機能を実行することができるモバイル情報端末機器および外装パネルを提供すること。  【解決手段】  携帯電話機１の表示部本体３の背面３ｂに着脱自在に装着される外装パネル５と、外装パネル５に設けられ、ＬＥＤ１６を点灯することにより、所定の機能を実行する電子回路１４とを備え、電子回路１４を外装パネル５の溝１３に着脱自在に装着できるようにした。また、電子回路１４は、表示部本体３側に設けられた発光駆動回路に同期してＬＥＤ１６を発光させる。【選択図】  図３
2006173729.tif 000002
【特許請求の範囲】
【請求項１】
モバイル情報端末機器の本体ケースの外表面に着脱自在に装着される外装パネルと、前記外装パネルまたは前記本体ケースに設けられ、所定の機能を実行する電子回路部とを備え、
前記電子回路部を、前記外装パネルまたは前記本体ケースに着脱自在に構成したことを特徴とするモバイル情報端末機器。
【請求項２】
前記外装パネルは、異なる形状の電子回路部を着脱自在に装着する装着部を有することを特徴とする請求項１に記載のモバイル情報端末機器。
【請求項３】
前記電子回路部は発光部を有することを特徴とする請求項１または請求項２に記載のモバイル情報端末機器。
【請求項４】
前記電子回路部は、前記本体ケース側に設けられた電源によって駆動されることを特徴とする請求項１乃至請求項３の何れか１項に記載のモバイル情報端末機器。
【請求項５】
前記電子回路部は、前記本体ケース側に設けられた発光駆動回路に同期して前記発光部を発光させることを特徴とする請求項３または請求項４に記載のモバイル情報端末機器。
【請求項６】
モバイル情報端末機器の本体ケースの外表面に着脱自在に装着される外装パネルであって、
所定の機能を実行する電子回路部を備え、
前記電子回路部を、前記外装パネルに着脱自在に構成したことを特徴とする外装パネル。
【請求項７】
異なる形状の電子回路部を着脱自在に装着する装着部を有することを特徴とする請求項６に記載の外装パネル。
【請求項８】
前記電子回路部は発光部を有することを特徴とする請求項５または請求項６に記載の外装パネル。
【請求項９】
前記電子回路部は、前記モバイル情報端末機器の本体ケース側に設けられた電源によって駆動されることを特徴とする請求項６乃至請求項８の何れか１項に記載の外装パネル。
【請求項１０】
前記電子回路部は、前記本体ケース側に設けられた発光駆動回路に同期して前記発光部を発光させることを特徴とする請求項８または請求項９に記載の外装パネル。
【発明の詳細な説明】
【技術分野】
【０００１】
本発明は、モバイル情報端末機器および外装パネルに関し、例えば、本体ケースの外表面に着脱自在に設けられ、所定の機能を実行する電子回路部を備えたモバイル情報端末機器および外装パネルに関する。
【背景技術】
【０００２】
モバイル情報端末機器、例えば、携帯電話機は、老若男女を問わず多くのユーザに所有され、年齢層、個人の趣味趣向の相違から同機種にいくつかの外装（色、デザイン）の異なったものが提供されている。ところが、ユーザの趣味趣向は多種多様であり、それらをすべて満足させるだけの外装の異なる携帯電話機を用意することは困難である。
【０００３】
そこで、多種多様な要求に応えるために、デザインの異なる数種の外装パネルを用意し、好みの外装パネルを選択して携帯電話機の外表面に着脱自在に取付けることができるようにしたものがあり、このような携帯電話機にあっては、その外表面に複数種の外装パネルを適宜交換して装着することができ、個性的な携帯電話機を演出することができる。
【０００４】
ところが、この種の携帯電話機にあっては、外装パネルを交換しても、その効果は装飾的な効果でしかなく、しかも、静的なものであるためさらなる工夫が必要である。
【０００５】
非装飾的で、かつ動的な工夫を凝らした携帯電話機としては、携帯電話機の本体ケースの外表面に着脱自在に装着される外装パネルに電子回路部を内蔵し、この電子回路部により所定の機能を実行することにより、外装パネルに装飾的効果のみならず、動的な効果を付加することができ、携帯電話機の商品価値の向上を図ることができるようにしたものがある（例えば、特許文献１参照）。 
【特許文献１】特開２００３−２８３６１６公報
【発明の開示】
【発明が解決しようとする課題】
【０００６】
しかしながら、このような従来のモバイル情報端末機器にあっては、電子回路部が外装パネルに内蔵されて取り外すことができないため、少なくとも内蔵された電子回路部の機能しか実行することができず、他の機能を実行するには、他の電子回路部が内蔵された外装パネルを購入しなければならず、１つの外装パネルで多種多用な機能を実行することができないという問題があった。
【０００７】
本発明は、従来の問題を解決するためになされたものであって、１つの外装パネルで多種多用な機能を実行することができるモバイル情報端末機器および外装パネルを提供することを目的とする。
【課題を解決するための手段】
【０００８】
本発明のモバイル情報端末機器は、モバイル情報端末機器の本体ケースの外表面に着脱自在に装着される外装パネルと、前記外装パネルまたは前記本体ケースに設けられ、所定の機能を実行する電子回路部とを備え、前記電子回路部を、前記外装パネルまたは前記本体ケースに着脱自在に構成されている。
【０００９】
この構成により、電子回路部を、外装パネルまたは本体ケースに着脱自在に構成したので、機能の異なる電子回路部を装着したり、機能の異なる電子回路部を組み合わせて複数の機能を実行することができ、１つの外装パネルで多種多用な機能を実行することができる。
【００１０】
また、本発明のモバイル情報端末機器の前記外装パネルは、異なる形状の電子回路部を着脱自在に装着する装着部を有するものから構成されている。
【００１１】
この構成により、機能の異なる電子回路部を装着したり、機能の異なる電子回路部を組み合わせて外装パネルに確実に着脱することができる。
【００１２】
また、本発明のモバイル情報端末機器は、前記電子回路部は発光部を有するものから構成されている。
【００１３】
この構成により、例えば、モバイル情報端末機器に着信やメール受信等があった場合に、発光部を発光させる等のような種々の演出を行うことができる。
【００１４】
また、本発明のモバイル情報端末機器の前記電子回路部は、前記本体ケース側に設けられた電源によって駆動されるものから構成されている。
【００１５】
この構成により、電子回路部に電源を設けるのを不要にできるので、電子回路部を小型化することができる。
【００１６】
また、本発明のモバイル情報端末機器の前記電子回路部は、前記本体ケース側に設けられた発光駆動回路に同期して前記発光部を発光させるものから構成されている。
【００１７】
この構成により、例えば、モバイル情報端末機器に着信やメール受信等があった場合に、これに同期して発光部を発光させることできるので、電子回路部の構成を簡素化して、モバイル情報端末機器の状態を知らせることができる。
【００１８】
また、本発明の外装パネルは、モバイル情報端末機器の本体ケースの外表面に着脱自在に装着される外装パネルであって、所定の機能を実行する電子回路部を備え、前記電子回路部を、前記外装パネルに着脱自在に構成したものから構成されている。
【００１９】
この構成により、電子回路部を、外装パネルまたは本体ケースに着脱自在に構成したので、機能の異なる電子回路部を装着したり、機能の異なる電子回路部を組み合わせて複数の機能を実行することができ、１つの外装パネルで多種多用な機能を実行することができる。
【００２０】
また、本発明の外装パネルは、異なる形状の電子回路部を着脱自在に装着する装着部を有するものから構成されている。
【００２１】
この構成により、機能の異なる電子回路部を装着したり、機能の異なる電子回路部を組み合わせて外装パネルに確実に着脱することができる。
【００２２】
また、本発明の外装パネルは、前記電子回路部は発光部を有するものから構成されている。
【００２３】
この構成により、例えば、モバイル情報端末機器に着信やメール受信等があった場合に、発光部を発光させる等のような種々の演出を行うことができる。
【００２４】
また、本発明の外装パネルの前記電子回路部は、前記モバイル情報端末機器の本体ケース側に設けられた電源によって駆動されるものから構成されている。
【００２５】
この構成により、電子回路部に電源を設けるのを不要にできるので、電子回路部を小型化することができる。
【００２６】
また、本発明の外装パネルの前記電子回路部は、前記本体ケース側に設けられた発光駆動回路に同期して前記発光部を発光させるものから構成されている。
【００２７】
この構成により、例えば、モバイル情報端末機器に着信やメール受信等があった場合に、これに同期して発光部を発光させることできるので、電子回路部の構成を簡素化して、モバイル情報端末機器の状態を知らせることができる。
【発明の効果】
【００２８】
以上説明したように、本発明は、１つの外装パネルで多種多用な機能を実行することができるモバイル情報端末機器および外装パネルを提供することができる。
【発明を実施するための最良の形態】
【００２９】
以下、本発明の実施の形態について、図面を用いて詳細に説明する。
【００３０】
図１乃至図１１は本発明に係るモバイル情報端末機器および外装パネルの第１の実施の形態を示す図であり、本発明のモバイル情報端末機器および外装パネルを携帯電話機およびその外装パネルに適用したものである。
【００３１】
まず、構成を説明する。図１において、携帯電話機１は、略同等の大きさで上下方向に扁平な箱状に形成された操作部本体２および表示部本体３と、これら操作部本体２と表示部本体３とを回動自在に連結するヒンジ部４とを備えており、表示部本体（本体ケース）３の背面（外表面）３ｂには、図２、図３に示すように外装パネル５が複数のネジ６によって着脱自在に取付けられるようになっている。
【００３２】
すなわち、外装パネル５の４角には挿通孔５ａが形成されているとともに、表示部本体３の背面３ｂにはネジ穴３ｃが形成されており、外装パネル５を操作部本体２の背面３ｂに取付けて、挿通孔５ａを通してネジ穴３ｃにネジ６を螺合することにより、外装パネル５が操作部本体２に固定される。
【００３３】
また、操作部本体２および表示部本体３のそれぞれのケース体の材質としては、ポリカーボネート樹脂（ＰＣ樹脂）やポリカーボネートＡＢＳ樹脂（ＰＣ−ＡＢＳ樹脂）等が用いられ、また、外装パネル５の材質としては、ポリカーボネートＡＢＳ樹脂（ＰＣ−ＡＢＳ樹脂）やアクリル樹脂（ＰＭＭＡ）等が用いられる。 
【００３４】
携帯電話機１は、未使用時においては、図２に示すように、操作部本体２と表示部本体３とがそれぞれの操作面２ａと表示面３ａとが対向するように互いに重ね合わされて折り畳まれた状態で携帯されるようになっている。
【００３５】
また、携帯電話機１は、通話時や電子メール操作時等の使用時においては、図１に示すように、操作部本体２と表示部本体３とが展開された状態で用いられる。このように本実施の形態の携帯電話機１は、所謂、折り畳みタイプである。
【００３６】
携帯電話機１には、操作部本体２内に充電可能な後述する二次電池パックが収納されており、二次電池パックから携帯電話機１を駆動するために携帯電話機１に内蔵された電子部品に対して電源の供給を行うようになっている。
【００３７】
操作部本体２は、折り畳まれた状態において表示部本体３と対向する一方の主面を操作面２ａとし、この操作面２ａは図１に示すように、テンキー７ａ、コントロール７ｂ、各種機能ボタン７ｃが設けられているとともに、側面側にも各種機能ボタン７ｃが設けられている。また。操作部本体２には、操作面２ａのヒンジ部４と反対側の自由端側に位置して図示しないマイクロホンが内蔵された送話部８が設けられている。 
【００３８】
また、操作部本体２には、その操作面２ａのヒンジ部４と反対側の自由端側の端面に、詳細を省略するが二次電池パックに対する充電を行うための充電端子部９が設けられている。また、表示部本体３の背面３ｂのヒンジ４近傍にはカメラ１０が設けられている。
【００３９】
また、表示部本体３の表示面３ａには液晶表示パネル１１が設けられており、この液晶表示パネル１１には携帯電話機１による種々の表示、待ち受け画面、着信表示、メール入力画面、メール表示画面等が表示される。
【００４０】
また、表示部本体３には、表示面３ａのヒンジ部４と反対側の自由端側に位置して図示しないスピーカが内蔵された受話部１２が設けられており、操作部本体２および表示部本体３を開いた状態で受話部１２および送話部８により通話を行うことができる。
【００４１】
一方、表示部本体３の背面３ｂに対向する外装パネル５の一側面には略Ｕ字型の溝（装着部）１３が形成されており、この溝１３には、図３に示すような電子回路（電子回路部）１４が着脱されるようになっている。この電子回路１４は、ＦＰＣ（Flexible Printed Circuit）回路基板１５に発光素子としてのＬＥＤ１６が設けられており、回路基板１５が溝１３内に取付けられるようになっている。
【００４２】
また、図４に示すように、溝１３の開口端部には複数（本実施の形態では５つ）の固定爪１７が設けられており、回路基板１５が溝１３内に取付けられたときに、固定爪１７が回路基板１５の上面に係合して電子回路１４が溝１３から抜け出るのを防止し、回路基板１５を固定爪１７の係止力よりも強い力で引くことにより、電子回路１４が溝１３から外れるようになっている。
【００４３】
また、図５（ａ）、図６に示すように、電子回路１４は回路基板１５内に外部端子１８が内蔵されており、この外部端子１８はプリント配線等の導電性部材１９によってＬＥＤ１６に接続されている。
【００４４】
また、図６乃至図８に示すように、携帯電話機１の表示部本体３内には携帯電話機１を制御する図示しないＣＰＵ等のマイクロコンピュータや携帯電話機１側に設けられた発光素子の発光制御を行う発光駆動回路２０が搭載されるとともに、二次電池パック２３に電気的に接続されるプリント基板２１が設けられている。
【００４５】
このプリント基板２１にはＳＵＳ（ステンレス）等の板バネから構成された外部端子２２が設けられており、この外部端子２２は電子回路１４の外部端子１８に接続され、ＬＥＤ１６には外部端子２２および外部端子１８を通して携帯電話機１の二次電池パック２３から電源が供給されるとともに、発光駆動回路２０に同期して点灯制御あるいは点滅制御される。なお、図６においては、ＬＥＤ１６を点灯制御あるいは点滅制御するための最低限の構成だけを図示している。
【００４６】
一方、図５（ｂ）、図９に示すように、電子回路１４と異なる形状の電子回路（電子回路部）２４が設けられており、この電子回路２４は、溝１３と略同一形状の回路基板２５に発光素子としてのＬＥＤ２６ａ乃至２６ｅが設けられており、この回路基板２５が溝１３内に取付けられるようになっている。
【００４７】
また、電子回路２４は回路基板２５内に外部端子２８が内蔵されており、この外部端子２８はプリント配線等の導電性部材２９によってＬＥＤ２６ａ乃至２６ｃに接続されている。なお、ＬＥＤ２６ａ乃至２６ｃはそれぞれ赤、青、緑の色を発光するようになっており、発光駆動回路２０からＬＥＤ２６ａ乃至２６ｃに供給される駆動電流値を変えることにより、例えば、２４色を表示できるようになっている。 
【００４８】
また、外部端子２８は電子回路１４の外部端子１８に接続され、ＬＥＤ２６ａ乃至２６ｂには外部端子２２および外部端子２８を通して携帯電話機１の二次電池パック２３から電源が供給されるとともに、発光駆動回路２０に同期して点灯制御あるいは点滅制御される。
【００４９】
また、外装パネル５の背面には図示しない導光パターンが設けられており、ＬＥＤ１６または２６ａ乃至２６ｃが点灯あるいは点滅すると、導光パターンのパターン形状に応じて外装パネル５の全体あるいは一部が点灯あるいは点滅する。
【００５０】
このように構成された外装パネル５を表示部本体３の背面３ｂに装着する場合には、任意の電子回路１４または電子回路２４を選択し、例えば、電子回路１４を選択した場合には、回路基板１５を溝１３に挿入して回路基板１５の上面を固定爪１７で係止することにより、電子回路１４を外装パネル５に装着する（図１０参照）。
【００５１】
次いで、電子回路１４が表示部本体３の背面３ｂに対向するように外装パネル５の向きを設定し、挿通孔５ａを通してネジ穴３ｃにネジ６を螺合することにより、外装パネル５を操作部本体２に取付ける。
【００５２】
この後、携帯電話機１が実行する所定の機能として、着信、メール受信があったり、通話状態になったときに、携帯電話機１の発光駆動回路２０が外部端子２２および外部端子１８を介してＬＥＤ１６を点灯制御あるいは点滅制御する。
【００５３】
一方、外装パネル５を取付ける電子回路としては、電子回路２４を選択した場合には、Ｕ字形状の回路基板２５を溝１３に挿入して回路基板２５の上面を固定爪１７で係止することにより、電子回路２４を外装パネル５に装着する。
【００５４】
次いで、電子回路２４が表示部本体３の背面３ｂに対向するように外装パネル５の向きを設定し、挿通孔５ａを通してネジ穴３ｃにネジ６を螺合することにより、外装パネル５を操作部本体２に取付ける（図１１参照）。
【００５５】
この後、携帯電話機１に着信、メール受信があったり、通話状態になったときに、携帯電話機１の発光駆動回路２０が外部端子２２および外部端子２８を介してＬＥＤ２６ａ乃至２６ｃを点灯制御あるいは点滅制御する。
【００５６】
このとき、２４色の中から任意の色を選択して適宜組み合わせたりする等して点灯あるいは点滅するようにしても良い。具体的には、メール着信の場合は、点灯するＬＥＤ２６ａ乃至ＬＥＤ２６ｃの組み合わせをＡパターンにすることにより、例えば、青に点灯あるいは点滅する。  
【００５７】
また、着信の場合は、点灯するＬＥＤ２６ａ乃至ＬＥＤ２６ｃの組み合わせをＢパターンにすることにより、例えば、緑に点灯あるいは点滅し、通話中の場合は、点灯するＬＥＤ２６ａ乃至ＬＥＤ２６ｃの組み合わせをＣパターンにすることにより、例えば、赤を点灯あるいは点滅すること等により、携帯電話機１の使用状態に応じた点灯あるいは点滅パターンを変更するようにしても良い。
【００５８】
このように本実施の形態の携帯電話機１は、携帯電話機１の表示部本体３の背面３ｂに着脱自在に装着される外装パネル５と、外装パネル５に設けられ、所定の機能を実行する電子回路１４、２４とを備え、電子回路１４、２４を外装パネル５に着脱自在に構成したので、機能の異なる電子回路１４、２４を装着して複数の機能を実行することができ、１つの外装パネル５で多種多用な機能を実行することができる。なお、表示部本体３の背面３ｂに溝を設け、この溝に電子回路１４、２４を着脱自在にしても良い。
【００５９】
また、本実施の形態の外装パネル５は、異なる形状の電子回路１４、２４を着脱自在に装着する溝１３を有するので、機能の異なる電子回路１４、２４を外装パネル５に確実に着脱することができる。
【００６０】
また、本実施の形態の電子回路１４、２４はＬＥＤ１６、２６ａ乃至２６ｃを備えているので、携帯電話機１に着信やメール受信等があった場合に、ＬＥＤ１６、２６ａ乃至２６ｃを発光させて種々の演出を行うことができる。
【００６１】
また、本実施の形態の電子回路部１４、２４は、表示部本体３側に設けられた二次電池パック２３によって駆動されるので、電子回路部１４、２４に電源を設けるのを不要にでき、電子回路１４、２４を小型化することができる。なお、電子回路１４、２４側に太陽電池等の電源を設けて、この電源からＬＥＤ１６、２６ａ乃至２６ｃに電源を供給しても良い。
【００６２】
また、本実施の形態の電子回路１４、２４は、表示部本体３側に設けられた発光駆動回路２０に同期してＬＥＤ１６、２６ａ乃至２６ｃを発光させるので、携帯電話機１に着信やメール受信等があった場合に、これに同期してＬＥＤ１６、２６ａ乃至２６ｃを発光させることでき、電子回路１４、２４の構成を簡素化して、携帯電話機１の状態を知らせることができる。
【００６３】
なお、本実施の形態では、電子回路１４、２４側の外部端子１８、２８を板バネから構成しているが、これに限らず、図１２に示すように、外部端子３１を導電性ゴムから構成しても良い。
【００６４】
また、本実施の形態では、別体の電子回路１４、２４を表示部装置３に着脱自在に設けているが、これに限らず、図１３に示すように、２つの回路基板４１、４２を備えた電子回路４３を電子回路１４に組み合わせて電子回路２４と同様の構成を構築しても良い。
【００６５】
すなわち、回路基板４１、４２にＬＥＤ４４、４５を設けるとともに、ＬＥＤ４４、４５に導電性部材４６、４７を介してコネクタ４８、４９を接続する。また、電子回路２４にコネクタ２９ａ、２９ｂを設け、コネクタ２９ａ、２９ｂをコネクタ４８、４９に接続して電子回路２４、４３を一体化して溝１３に装着することにより、機能の異なる電子回路２４、４３を組み合わせて複数の機能を実行することができ、１つの外装パネル５で多種多用な機能を実行することができる。
【００６６】
なお、本実施の形態では、電子回路部としては、ＬＥＤ１６、２６ａ乃至２６ｃを搭載した電子回路１４、２４に適用しているが、これ以外に、時計、レーザポインター、ライト、ラジオ、温度計、体脂肪計、血圧計、万歩計（登録商標）、移動距離計等を用いること等が考えられる。 
【００６７】
また、本実施の形態の携帯電話機１は、所謂、折り畳みタイプの携帯電話機を例にしているが、本発明はこれに限らず、所謂、ストレートタイプの携帯電話機にも適用することもできる。 
【００６８】
また、モバイル情報端末機器としては、携帯電話機１に限定されるものではなく、通信機能を備えた移動端末機器であれば、ＰＨＳ、パーソナルコンピュータ、ＰＤＡ（Personal Digital Assistant）等に適用しても良い。
【産業上の利用可能性】
【００６９】
以上のように、本発明に係るモバイル情報端末機器および外装パネルは、１つの外装パネルで多種多用な機能を実行することができるという効果を有し、本体ケースの外表面に着脱自在に設けられ、所定の機能を実行する電子回路部を備えたモバイル情報端末機器および外装パネル等として有用である。
【図面の簡単な説明】
【００７０】
【図１】本発明の第１の実施の形態における外装パネルを備えたモバイル情報端末機器としての携帯電話機の外観図
【図２】第１の実施の形態における外装パネルを備えた携帯電話機を閉じた状態を示す図
【図３】第１の実施の形態における閉じた状態の携帯電話機、外装パネルおよび電子回路の分解図
【図４】（ａ）は第１の実施の形態の外装パネルの下面図、（ｂ）は外装パネルの側面図
【図５】（ａ）は第１の実施の形態における一方の電子回路の構成図、（ｂ）は他方の形状の電子回路の構成図
【図６】第１の実施の形態における携帯電話機と一方の電子回路の回路構成図
【図７】第１の実施の形態における携帯電話機と電子回路の要部構成図
【図８】図７のＡ−Ａ方向矢視断面図
【図９】第１の実施の形態における携帯電話機と他方の電子回路の回路構成図
【図１０】第１の実施の形態における一方の電子回路が装着された外装パネルを示す図
【図１１】第１の実施の形態における他方の電子回路が装着された外装パネルを示す図
【図１２】第１の実施の形態における携帯電話機の他の形状の外部端子が取付けられたときの図７のＡ−Ａ方向矢視断面図
【図１３】第１の実施の形態における他の形状の電子回路を示す図
【符号の説明】
【００７１】
１  携帯電話機（モバイル情報端末機器）
３  表示部本体（本体ケース）
３ｂ  背面（外表面）
５  外装パネル
１３  溝（装着部）
１４、２４、４３  電子回路部（電子回路）
１６、２６ａ乃至２６ｃ、４４、４５  ＬＥＤ（発光部）
２０  発光駆動回路
２３  二次電池パック（電源）
【図１】
2006173729.tif 000003
【図２】
2006173729.tif 000004
【図３】
2006173729.tif 000005
【図４】
2006173729.tif 000006
【図５】
2006173729.tif 000007
【図６】
2006173729.tif 000008
【図７】
2006173729.tif 000009
【図８】
2006173729.tif 000010
【図９】
2006173729.tif 000011
【図１０】
2006173729.tif 000012
【図１１】
2006173729.tif 000013
【図１２】
2006173729.tif 000014
【図１３】
2006173729.tif 000015